(57)【特許請求の範囲】
【請求項１】
深さ寸法が段階的に相違する複数種のトレイを出し入れ可能に収容できる収納庫であって、収納庫本体と、上下方向に間隔をあけて前記収納庫本体の内側に左右対称に配設される複数個のレールとを備え、前記複数種のトレイは、深さ寸法の増大に従って収容幅が減少する関係を有するように収容幅が段階的に相違しており、前記トレイの収容幅の段階的相違に対応して、深さ寸法最大のトレイの底部を支持するレールが最大の横幅を有し、また、深さ寸法最小のトレイの底部を支持するレールが最小の横幅を有するように、前記レールの横幅が段階的に相違していることを特徴とする収容庫のトレイ受け構造。
【請求項２】
前記レールが、上下に隣接するレール間にそれぞれ最小深さ寸法のトレイを密に収容し得る上下ピッチ間隔で配設されていることを特徴とする請求項１記載の収納庫のトレイ受け構造。
【請求項３】
前記複数種のトレイは収容部の前端に設けられる前板を有し、該前板の横幅寸法はトレイの収容幅の相違に拘わらず一定であることを特徴とする請求項１又は２記載の収納庫のトレイ受け構造。
【請求項４】
前記レールは、その横幅よりも１段階大きな横幅のレールに支持されるトレイの側面をガイドし得る横幅寸法を有することを特徴とする請求項１から３までのいずれか１つに記載の収納庫のトレイ受け構造。
【請求項５】
前記レールが、前記収納庫本体の内側に該収納庫本体と一体又は別体に設けられる支持板と一体に設けられていることを特徴とする請求項１から４までのいずれか１つに記載の収納庫のトレイ受け構造。
【発明の詳細な説明】
【０００１】
【発明の属する技術分野】
本発明は収納庫のトレイ受け構造に関し、更に詳しくは、深さの異なる複数種のトレイを収容可能なトレイ受け構造に関する。
【０００２】
【従来の技術】
従来より、収納庫本体の左右側板の内側にトレイを出し入れ可能に支持するためのレールを備えた収納庫が用いられている。
【０００３】
従来のこの種の収納庫は、図１０（ａ）、（ｂ）に示すように、収納庫本体１の左右側板２、３の内側にそれぞれ深さ寸法の小さい浅型トレイ５又は深さ寸法の大きい深型トレイ６を出し入れ可能に支持できる複数個のレール４、４を上下方向に間隔をあけて配設したものとなっている。図１０（ａ）、図１０（ｂ）からわかるように、浅型トレイ５用のレール４、４は、深型トレイ６用のレール４、４よりも上下ピッチ間隔が小さく設定されており、また、レール４、４は左右の側板２、３の内側面から収納庫本体１の内方に突出しており、各レール４の横幅は同一となっている。
【０００４】
一方、特開平１０−２９５４６２号、特開平７−３２７７５９号、実開平４−４５５５６号等には深さ寸法の異なる複数種のトレイを収納可能な収納庫が開示されている。この種の収納庫は、図１１に示すように、トレイ５、６の収納部５ａ、６ａの左右側面上端に設けた鍔部５ｂ、６ｂをレール４、４上に支持して前後方向に出し入れ可能に案内するものとなっている。左右のレール４、４の横幅は同一であり、また、浅型トレイ５と深型トレイ６における収納部５ａ、６ａは左右のレール４、４間に入り得る収容幅を有しており、浅型のトレイ５と深型のトレイ６は収納部５ａ、６ａの収容幅が同一である。
【０００５】
【発明が解決しようとする課題】
図１０（ａ）、（ｂ）に示す従来の収納庫のトレイ受け構造においては、浅型トレイ５用のレール４、４上には深型トレイ６を載せることができず、また、深型トレイ用のレール４、４上に浅型トレイ５を載せると、トレイ５、５間に大きく無駄なデッドスペースが生じてしまう。したがって、トレイ５、６の深さに対応させて配設ピッチの異なるレールを備えた収納庫を用意する必要があり、製造コストがアップする原因となる。また、ユーザーにおいても浅型又は深型のうちの一方から他方へ変更するにはトレイのみの変更で対応できず、収納庫全体の買い替えが必要となる。
【０００６】
一方、図１１に示す従来の収納庫においては、共通のレール４、４を使用して浅型のトレイ５と深型のトレイ６を選択的に支持させることができるが、浅型及び深型のどちらのトレイ５、６においても収容部５ａ、６ａが左側レール４と右側レール４との間に位置するため、左右の側板２、３とトレイ５、６の収納部５ａ、６ａとの間にレール４，４の横幅分の大きなデッドスペースが生じ、収納庫の収容効率が低下する。
【０００７】
したがって、本発明の目的は、収納庫本体内に無駄なデッドスペースが生じることを最小限に抑えつつ、深さ寸法の異なるトレイを収容して用いることができる収納庫のトレイ受け構造を提供することにある。
【０００８】
【課題を解決するための手段】
上記課題を解決するために、本発明は、深さ寸法が段階的に相違する複数種のトレイを出し入れ可能に収容できる収納庫であって、収納庫本体と、上下方向に間隔をあけて前記収納庫本体の内側に左右対称に配設される複数個のレールとを備え、  前記複数種のトレイは、深さ寸法の増大に従って収容幅が減少する関係を有するように収容幅が段階的に相違しており、前記トレイの収容幅の段階的相違に対応して、深さ寸法最大のトレイの底部を支持するレールが最大の横幅を有し、また、深さ寸法最小のトレイの底部を支持するレールが最小の横幅を有するように、前記レールの横幅が段階的に相違していることを特徴とする収容庫のトレイ受け構造を提供する。
【０００９】
上記構成を有する収納庫のトレイ受け構造においては、深さ寸法の異なる複数種のトレイの収容幅が段階的に相違しており、また、トレイの収容幅の段階的相違に対応して、深さ寸法の大きなトレイの底部を支持するレールが大きな横幅を有し、また、深さ寸法の小さなトレイの底部を支持するレールが小さい横幅を有するように、レールの横幅が段階的に相違しているので、深さ寸法の小さい浅型トレイは横幅の小さいレール及び横幅の大きいレールの何れにも支持させることができ、一方、深さ寸法の大きな深型トレイは、横幅の小さいレールと干渉することなく、横幅の大きいレールの上に支持させることができる。したがって、必要に応じて浅型トレイ又は深型トレイを任意に選択し収容することができる。しかも、各トレイはレール上に載せて支持されるので、トレイの収納幅をそれぞれ最大限まで拡大できる。したがって、トレイの収容部側面と収納庫本体の左右側面との間の無駄なデッドスペースを最小限に抑えることができる。
【００１０】
上記構成の収納庫のトレイ受け構造において、好ましくは、前記レールが、上下に隣接するレール間にそれぞれ最小深さ寸法のトレイを密に収容し得る上下ピッチ間隔で配設される。係る構成によれば、必要に応じ最小深さ寸法のトレイのみを各レール上に支持させて収納庫本体内に密に収容することができる。
【００１１】
また好ましくは、前記複数種のトレイは収容部の前端に設けられる前板を有し、該前板の横幅寸法はトレイの収容幅の相違に拘わらず一定とされる。係る構成によれば、複数種のトレイの前板がトレイの収容幅の相違に拘わらず一定の横幅寸法を有するので、トレイ前面幅の統一性を確保することができる。
【００１２】
また好ましくは、前記レールは、その横幅よりも１段階大きな横幅のレールに支持されるトレイの側面をガイドし得る横幅寸法を有する。係る構成によれば、深さ寸法の大きなトレイをレール上に支持させたとき、該トレイの側面をそのレールの横幅よりも１段階小さな横幅のレールによりガイドすることができるので、トレイの出し入れをスムーズに行うことができる。また、深さ寸法の大きなトレイの収納幅は、そのトレイを支持するレールの横幅よりも１段階小さな横幅を有する左右のレール間の幅まで拡大することができるので、トレイの収納部側面と収納庫本体の側板との間の無駄なデッドスペースを最小限に抑えることができる。
【００１３】
また好ましくは、前記レールが、前記収納庫本体の内側に該収納庫本体と一体又は別体に設けられる支持板と一体に設けられる。係る構成によれば、横幅の異なるレールを支持板を介して同時一体に成形することができるので、製造工数を大きく削減することができる。また、収納庫本体への組み付けも少ない工数で作業効率よく行うことができる。
【００１４】
【発明の実施の形態】
以下、図面を参照して本発明の好ましい実施形態を説明する。
【００１５】
【実施例】
図１から図７までは本発明の第１実施例を示したものであり、図１は収納庫の斜視図、図２は図１に示す収納庫の収納庫本体内部を示す斜視図、図３は図１に示す収納庫の縦断面正面図、図４は図１に示す収納庫の図３中４−４線に沿った断面図、図５は図１に示す収納庫の図３中５−５線に沿った断面図、図６は図１に示す収納庫の図３中６−６線に沿った断面図、図７（ａ）、（ｂ）はそれぞれ図１に示す収納庫における異なるトレイ収容形態を示す図３と類似の断面図である。
【００１６】
はじめに図１から図６までを参照すると、本発明による収納庫は、前面が開口した箱形の収納庫本体１１を有し、この収納庫本体１１は、左右の側板１２，１３と、天板１４と、底板１５と、背面板１６とを有している。
【００１７】
ここでは、左右の側板１２，１３は合成樹脂からなっており、側板１２，１３の内側には支持板１７，１８が該側板１２，１３と一体に形成されており、支持板１７，１８の内側には上下方向に間隔をあけて横幅の異なる複数個のレール１９，２０が左右対称に配設されている。
【００１８】
この左右のレール１９，２０により、収納庫は深さ寸法が段階的に相違する複数種のトレイ、すなわち、ここでは深さ寸法が小さい浅型トレイ２１と深さ寸法が大きい深型トレイ２２を出し入れ可能に収容できるものとなっている。トレイ２１，２２は上部が開口した四角形の収容部２１ａ、２２ｂを有しており、浅型トレイ２１の収容部２１ａの横幅すなわち収容幅が深型トレイ２２の収容部２２ａの横幅すなわち収容幅よりも大きく設定されている。すなわち、本発明で用いられるトレイ２１，２２は、深さ寸法の増大に従って収容幅が減少する関係を有するように収容幅が段階的に相違している。
【００１９】
一方、トレイ２１，２２の収容幅の段階的相違に対応して、浅型トレイ２１の底部を支持するレール１９が小さい横幅を有し、また、深型トレイ２２の底部を支持するレール２０が大きな横幅を有するように、トレイ１９，２０の横幅が段階的（ここでは２段階）に相違している。
【００２０】
また、この実施例では、上下に隣接するレール１９，２０間にそれぞれ最小深さ寸法のトレイすなわち浅型トレイ２１を密に収容し得る上下ピッチ間隔で配設されている。したがって、図７（ａ）に示すように、各トレイ１９，２０に浅型トレイ２１のみを支持させて収納庫本体１１内に密に収容することができる。
【００２１】
さらに、この実施例では、深型トレイ２２は最小深さ寸法のトレイすなわち浅型トレイ２１の略２倍の深さ寸法を有しており、浅型トレイ用レール１９と横幅の大きい深型トレイ用レール２０が上下方向に交互に配設されている。したがって、図７（ｂ）に示すように、上下方向に無駄なデッドスペースを生じることなく、深型トレイ２２を収納庫本体１１内に密に収容することができる。
【００２２】
さらに、図１及び図３〜図６に示すように、トレイ２１，２２は収容部２１ａ、２２ａの前端に設けられる前板２１ｂ、２２ｂを有しており、該前板２１ｂ、２２ｂの横幅寸法は、図６及び図７に示すように、トレイの収容幅の相違に拘わらず一定とされている。したがって、収納幅の異なる浅型トレイ２１と深型トレイ２２の前板２１ｂ、２２ｂを収納庫本体１１に収容したとき、トレイ前面幅の統一性を確保することができる。
【００２３】
さらに、この実施例では、横幅の小さいレール１９は、その横幅よりも１段階大きな横幅のレール２０に支持される深型トレイ２２の側面をガイドし得る横幅寸法を有する。したがって、深型トレイ２２をレール２０上に支持させたとき、該トレイ２２の側面をそのレール２０の横幅よりも１段階小さな横幅のレール１９によりガイドすることができるので、トレイ２２の出し入れをスムーズに行うことができる。また、深型トレイ２２の収納幅は、その収容部側面が浅型トレイ用レール１９の対向端と当接する最大幅まで拡張することができるので、トレイ２２の収納部側面と収納庫本体１１の側板１２，１３との間の無駄なデッドスペースを最小限に抑えることができる。
【００２４】
上記構成を有する第１実施例の収納庫においては、浅型トレイ２１と深型トレイ２２の収容幅が段階的に相違しており、また、トレイ２１，２２の収容幅の段階的相違に対応して、深型トレイ２２の底部を支持するレール２０が大きな横幅を有し、また、浅型トレイ１９の底部を支持するレール１９が小さい横幅を有するように、レール１９，２０の横幅が段階的に相違しているので、前述したように、浅型トレイ２１は横幅の小さいレール１９及び横幅の大きいレール２０の何れにも支持させることができ、一方、深型トレイ２２は、横幅の小さいレール１９と干渉することなく、横幅の大きいレール２０の上に支持させることができる。したがって、必要に応じて浅型トレイ２１又は深型トレイ２２を任意に選択し収容することができる（図３、図７（ａ）、（ｂ）参照）。しかも、深さ寸法の小さい浅型トレイ２１は収納部２１ａの横幅を最大限まで拡大できるので、トレイ２２の収容部側面と収納庫本体１１の左右側面との間の無駄なデッドスペースを最小限に抑えることができる。
【００２５】
図８は本発明の第２実施例を示す図３と類似の縦断面正面図である。同図において上記第１実施例と同様の構成要素には同一の参照符号が付してある。
【００２６】
この第２実施例では、収納庫本体１１の内側に深さ寸法が３段階に相違した３種のトレイ２１，２２，２４を支持することができる左右のレール１９，２０，２３が設けられている。トレイ２１，２２，２４は深さの増大に従って収納幅が減少するように収納幅が段階的に相違している。また、深さ寸法最小のトレイ１９の底部を支持するレール１９が最小の横幅を有し、深さ寸法最大のトレイ２４の底部を支持するレール２３が最大の横幅を有するように、トレイ２１，２２，２４の収容幅の段階的相違に対応して、トレイ２１，２２，２４を支持するレール１９，２０，２３の横幅が段階的に相違している。
【００２７】
したがって、この第２実施例では、深さ寸法最小のトレイ２１は横幅の小さいレール１９及び横幅の大きいレール２０，２３の何れにも支持させることができ、一方、深さ寸法の大きなトレイ２２，２４は、横幅の小さいレール１９，２０と干渉することなく、横幅の大きなレール２０，２３の上に支持させることができる。したがって、必要に応じて深さが３段階に相違するトレイ２１，２２，２４を任意に選択し収容することができる。しかも、トレイ２１，２２、２３はそれぞれ底部がレール１９，２０，２３の上に載って支持されるので、トレイ２１，２２，２４の収納幅をそれぞれ最大限まで拡大することができる。したがって、トレイ２１，２２，２３の収容部側面と収納庫本体１１の左右側面との間の無駄なデッドスペースを最小限に抑えることができる。
【００２８】
図９は本発明の第３実施例を示す図３と類似の縦断面正面図である。同図において上記第１実施例と同様の構成要素には同一の参照符号が付してある。
【００２９】
この第３実施例では、レール１９，２０が、収納庫本体１１の左右の側板１２，１３の内側に該側板１２，１３とは別体に設けられる支持板２４，２５と一体に設けられている。
【００３０】
この第３実施例の場合、収納庫本体１１の側板１２，１３を天板１４、底板１５及び背面板１６と共に例えば金属板材料で形成し、支持板２４，２５及びレール１９，２０を合成樹脂材料で一体成形することができる。また、この実施例においても、横幅の異なる左右のレール１９，２０を支持板２４，２５を介してそれぞれ同時一体に成形することができるので、製造工数を大きく削減することができる。また、収納庫本体１１への組み付けも少ない工数で作業効率よく行うことができる。
【００３１】
以上図示実施例につき説明したが、本発明は上記実施例の態様のみに限定されるものではなく、特許請求の範囲に記載した発明の範囲内でその構成要素に種々の変更を加えることができる。例えば、浅型トレイと深型トレイの２種類に対応した収納庫において、第１実施例では深型トレイ２２が浅型トレイ２１の略２倍の深さを有し、浅型トレイ２１用のレール１９と深型トレイ２２用のレール２０が上下方向に交互に配設されているが、深型トレイを浅型トレイの略３倍の深さとしてもよく、この場合、浅型トレイ用のレール２つおきに深型トレイ用のレールを配置することにより、深型トレイ用レールの配設ピッチ間隔を浅型トレイ用レールの配設ピッチ間隔の略３倍に設定すればよい。さらに、収納庫本体の内側に配置される左右のレールの段数は必要に応じて適宜に設定することができ、また、収納庫本体はトレイを収納庫本体内に縦複数列に収容するようにレールを配置したものであってもよい。
【００３２】
【発明の効果】
以上の説明から明らかなように、本発明によれば、収納庫本体内に無駄なデッドスペースが生じることを最小限に抑えつつ、深さ寸法の異なるトレイを収容して用いることができる収納庫のトレイ受け構造を提供することができる。
【図面の簡単な説明】
【図１】図１は本発明の第１実施例を示す収納庫の斜視図である。
【図２】図１に示す収納庫の収納庫本体内部を示す斜視図である。
【図３】図１に示す収納庫の縦断面正面図である。
【図４】図１に示す収納庫の図３中４−４線に沿った断面図である。
【図５】図１に示す収納庫の図３中５−５線に沿った断面図である。
【図６】図１に示す収納庫の図３中６−６線に沿った断面図である。
【図７】（ａ）、（ｂ）はそれぞれ図１に示す収納庫における異なるトレイ収容形態を示す図３と類似の断面図である。
【図８】本発明の第２実施例を示す収納庫の図３と類似の縦断面正面図である。
【図９】本発明の第３実施例を示す収納庫の図３と類似の縦断面正面図である。
【図１０】（ａ）、（ｂ）はそれぞれ収納庫のトレイ受け構造の従来例を示す縦断面正面図である。
【図１１】収納庫のトレイ受け構造の別の従来例を示す縦断面正面図である。
【符号の説明】
１１    収納庫本体
１２，１３    側板
１９，２０，２３    レール
２１，２２，２４    トレイ
２１ａ、２２ａ    トレイの収容部
２１ｂ、２２ｂ    トレイの前板
【図１】
0003676205.tif 000002
【図２】
0003676205.tif 000003
【図３】
0003676205.tif 000004
【図４】
0003676205.tif 000005
【図５】
0003676205.tif 000006
【図６】
0003676205.tif 000007
【図７】
0003676205.tif 000008
【図８】
0003676205.tif 000009
【図９】
0003676205.tif 000010
【図１０】
0003676205.tif 000011
【図１１】
0003676205.tif 000012